(57)【特許請求の範囲】
【請求項１】
一端に、内容物の取出口を予め塞いだ状態とした閉塞部を有するアルミからなる絞り体を取付けてなる、閉鎖型のラミネートチューブと、前記取出口を着脱自在に閉蓋するキャップと、を備え、前記キャップは、一端の内側に前記取出口を覆うようにして前記取出口を閉蓋する螺合部を設けるとともに、他端の内側には、前記閉塞部を破断して前記取出口を開封する突起部を設けてなる容器において、前記突起部は、台座と、該台座上に有する、前記閉塞部を破断する破断リブと、前記閉塞部の破断部分を拡張する拡張リブと、を備え、前記破断リブおよび/または前記拡張リブは、前記台座より大径とし、前記破断リブは、該破断リブの頂点が、前記突起部の中心部に位置する突出部となり、前記拡張リブは、該拡張リブの頂点が、前記突出部の中途部の高さに位置することを特徴とする容器。
【請求項２】
前記キャップの他端内側の凹部であって、該凹部の外周位置と、前記絞り体の外周位置とに、係合部を設けたことを特徴とする、請求項１に記載の容器。
【発明の詳細な説明】
【技術分野】
【０００１】
本発明は、一端に、内容物の取出口を予め塞いだ状態とした閉塞部を有するアルミからなる絞り体を取付けてなる、閉鎖型のラミネートチューブと、取出口を着脱自在に閉蓋するキャップと、を備え、キャップは、一端の内側に取出口を覆うようにして取出口を閉蓋する螺合部を設けるとともに、他端の内側には、閉塞部を破断して取出口を開封する突起部を設けてなる容器に関し、より詳細には、突起部は、台座と、この台座上に有する、閉塞部を破断する破断リブと、閉塞部の破断部分を拡張する拡張リブと、を備え、破断リブおよび/または拡張リブは、台座より大径であることに関する。
【背景技術】
【０００２】
従来、飲食品、医薬品、医薬部外品、化粧品、化成品、工業製品、その他の内容物を本体に充填包装するチュ−ブ容器には、一端に、予め内容物の取出口を閉鎖膜で塞いで成形された、バリア性を有するアルミからなる絞り体をインサート成形して取付けた、閉鎖型ラミネートチューブなどがあり、該閉鎖型ラミネートチューブは、取出口を覆うようにして、螺合により着脱自在としたキャップを備えている。そして、このキャップは、取出口に嵌合可能とする螺糸部の反対側に設けた凹部内には、取出口を開封する、尖頭状かつ錘状体の突起が設けられ、この閉鎖型ラミネートチューブから内容物を初めて取り出す際、閉鎖型ラミネートチューブから取り外したキャップを反対側にして、取出口の閉鎖膜を、この突起で突き刺すことにより閉鎖膜を破断し、次いで台座によって閉鎖膜に穴を開けることで、取出口を開封して、内容物の取出しを可能とする（例えば、特許文献１）ものがある。
【０００３】
【特許文献１】特開２００６−１２３９１８号公報
【発明の開示】
【発明が解決しようとする課題】
【０００４】
上述したように、閉鎖型ラミネートチューブの取出口を開封して、内容物を効率よく取出すためには、台座を、取出口の口内径と略等しくして、閉鎖膜に大穴を開ければよいことが考えられるが、この場合、台座の径が大きすぎることにより、閉鎖膜を押し広げる抵抗が強くなり、逆に閉鎖膜を開けにくくしてしまう。そのため、このような従来の閉鎖型ラミネートチューブの容器では、台座の径を取出口の口内径よりも０．１ｍｍ〜０．３ｍｍ程度小さくしているため、閉鎖膜に大穴を開けることができず、従って、容器内の内容物を取出口から効率よく取り出すことができないという問題があった。
また、絞り体の高さに応じてキャップの突起も、キャップの天面からのはみ出しを防ぐために、高く設けることができず、このような短い突起では、突き刺しのストロークを大きくすることができないことから、閉鎖膜を容易に破断することができないという問題もあった。
従って、この発明の目的は、高さ制約を有する比較的に低い突起を用いて、取出口の閉鎖膜を容易、かつ確実に破断して、大穴を開けることができるキャップを備えた、内容物を効率よく取り出すことができる使用性に優れた容器を提供することにある。
【課題を解決するための手段】
【０００５】
このため、請求項１に記載の発明は、一端に、内容物の取出口を予め塞いだ状態とした閉塞部を有するアルミからなる絞り体を取付けてなる、閉鎖型のラミネートチューブと、前記取出口を着脱自在に閉蓋するキャップと、を備え、前記キャップは、一端の内側に前記取出口を覆うようにして前記取出口を閉蓋する螺合部を設けるとともに、他端の内側には、前記閉塞部を破断して前記取出口を開封する突起部を設けてなる容器において、前記突起部は、台座と、該台座上に有する、前記閉塞部を破断する破断リブと、前記閉塞部の破断部分を拡張する拡張リブと、を備え、前記破断リブおよび/または前記拡張リブは、前記台座より大径であることを特徴とする。
【００１０】
また、前記破断リブは、該破断リブの頂点が、前記突起部の中心部に位置する突出部となることを特徴とする。
【００１１】
また、前記拡張リブは、該拡張リブの頂点が、前記突出部の中途部の高さに位置することを特徴とする。
【００１２】
請求項２に記載の発明は、請求項１に記載の容器において、前記キャップの他端内側の凹部であって、該凹部の外周位置と、前記絞り体の外周位置とに、係合部を設けたことを特徴とする。
【発明の効果】
【００１３】
請求項１に記載の発明によれば、一端に、内容物の取出口を予め塞いだ状態とした閉塞部を有するアルミからなる絞り体を取付けてなる、閉鎖型のラミネートチューブと、取出口を着脱自在に閉蓋するキャップと、を備え、キャップは、一端の内側に取出口を覆うようにして取出口を閉蓋する螺合部を設けるとともに、他端の内側には、閉塞部を破断して取出口を開封する突起部を設けてなる容器において、突起部は、台座と、この台座上に有する、閉塞部を破断する破断リブと、閉塞部の破断部分を拡張する拡張リブと、を備え、破断リブおよび/または拡張リブは、台座より大径であるので、取出口の閉塞部を開封する際は、キャップの突起部を閉塞部に突き刺して少しの力で破断させることができ、キャップの閉塞部への突き刺し抵抗が少なく、楽に閉塞部を破断できるとともに、破断面積および拡張面積を大きくできるため、閉塞部に大きな穴を開け、取出口を十分に開封することができる。従って、使用性に優れた容器を提供することができる。
【００１８】
また、破断リブは、この破断リブの頂点が、突起部の中心部に位置する突出部となるので、突出部の頂点および３枚の破断リブのエッジ部分に力点を集中させて閉塞部を破断するため、閉塞部への突き刺し抵抗を小さくすることができる。従って、閉塞部を楽に破断できる、使用性に優れた容器を提供することができる。
【００１９】
また、拡張リブは、この拡張リブの頂点が、突出部の中途部の高さに位置するので、最初に、突出部と、破断リブとで楽に破断した閉塞部の破断部間を、引き続き破断リブで裂きながら拡張リブで拡張して、閉塞部に大きな穴を開けることができる。従って、閉塞部を鋭い切り口で大きく開口できる、使用性に優れた容器を提供することができる。
【００２０】
請求項２に記載の発明によれば、キャップの他端内側の凹部であって、この凹部の外周位置と、絞り体の外周位置とに係合部を設けたので、キャップの突起部を取出口の閉塞部に突き刺した際、キャップおよび絞り体双方の突起が係合することで、絞り体へのキャップの突起部の突き刺しが完了したことを感じさせるクリック感をユーザに与えることができる。従って、使用性に優れた容器を提供することができる。
【発明を実施するための最良の形態】
【００２１】
以下、図面を参照しつつ本発明を実施するための最良の形態について説明する。
図１は、本発明の一実施例を示す、上方から見た容器の全体図、図２は、キャップを上方から見た斜視図、図３は、キャップを下方から見た斜視図である。
【００２２】
本発明の閉鎖型ラミネートチューブ式の容器１は、図１に示すように、内容物を充填する本体２と、キャップ３とから構成される。まず、本体２は、例えば、複数のポリエチレン系樹脂層の間にアルミ箔を積層した柔軟なフィルムなどからなる材質で、円筒または楕円状の筒などの形状を有し、内容物を一端部から充填し、この一端部を接着や溶着などにより閉鎖する。
【００２３】
また、本体２の他端部には、バリア性を有するアルミなどからなり、ロンデルと呼ばれる絞り体５が、インサート成形などにより取付けられる。そして、この絞り体５は、先端部に有する、内容物の取出口６が、予め、アルミ箔とプラスチックなどを貼り合わせた積層材からなる膜などの閉塞部７で塞がれた状態で成形される。さらに、口部４の外周面には、キャップ３を取付けるためのネジ山１５が刻設される。
【００２４】
次いで、キャップ３は、図２〜３に示すように、内側の一側（取出口６側）に形成された筒状の螺合部８と、他側に形成された突起部９とを備えるとともに、キャップ３の内径は、本体２の内径内であることが好ましい。また、キャップ３の外周部には、滑り止めのための凹凸などの加工を施してもよい。そして、このキャップ３は、例えば、ポリエチレンや、ポリプロピレン、ポリスチレン、ＡＢＳ（アクリロニトリル・ブタジエン・スチレン）系などの樹脂を用いてもよく、限定しないそれら材質のものを射出成形することによって得ることができる。なお、閉鎖型ラミネートチューブ式の容器１における本体２や絞り体５、キャップ３などの材質は、例えば、上述した特開２００６−１２３９１８号公報などに記載の周知技術であるため、その詳細な説明は省略する。
【００２５】
また、螺合部８の内径および高さは、口部４の外径および高さに略等しくするとともに、螺合部８の内面には、口部４の外周面に設けたネジ山１５に螺合するネジ溝１４が刻設される。
【００２６】
以上のような構成により、キャップ３の螺合部８を本体２の口部４に螺嵌させて、口部４を着脱自在に閉蓋可能としたキャップ３は、本体２内に有する内容物の漏出を防ぐとともに、口部４を保護することができる。なお、口部４へのキャップ３の着脱は、上述したネジ山１５とネジ溝１４との螺合に限定されず、凹凸部などを有する嵌合式など、その着脱機構は限定されない。
【００２７】
次に、本願発明の特徴である、キャップ３の突起部９について、その具体的構成を説明する。図４は、キャップの平面図、図５は、図４におけるキャップのＢ矢視断面側面図、図６は、図４におけるキャップのＣ矢視断面側面図、図７は、突起部により開口させたシール材の平面図である。
【００２８】
図２に示すように、突起部９は、上述したキャップ３の他側に形成した凹部１０内の底部であって、キャップ３の中心部に形成した、取出口６の内径よりも０．１ｍｍ〜０．３ｍｍ程度小さな径を有する、円柱などの形状の台座１１と、この台座１１上に設けられた、台座１１の径よりも大きく、取出口６の口内径に略等しい径を有するリブ１３とから構成される。なお、取出口６の形状は、円形に限定されず、三角形や四角形など適宜形状にすることができ、その場合、台座１１や、螺合部８などの形状も取出口６の形状に合わせた形状とされる。
【００２９】
そして、リブ１３の頂点の位置は、キャップ３の他側端部の高さ位置を越えない位置とされる。このようにすることで、突出部１２による怪我を防止できるとともに、キャップ３の他側を底にして容器１を立てて置く際にも障害とならない。
【００３０】
また、リブ１３は、キャップ３の中心に位置する頂点が突出部１２となっており、この突出部１２を中心として放射状に等間隔で設けられる。そして、このリブ１３は、図４に示すように、閉塞部７を破断する破断リブ１３ａおよび閉塞部７の破断部分を拡張する拡張リブ１３ｂから構成され、破断リブ１３ａは、突出部１２を中心として１２０°間隔で３枚設置される。また、拡張リブ１３ｂは、破断リブ１３ａ間に位置するようにして、突出部１２を中心に１２０°間隔で３枚設置される。従って、突出部１２を中心として放射状に破断リブ１３ａと拡張リブ１３ｂとが、交互に配設されるとともに、破断リブ１３ａと拡張リブ１３ｂとの間は、６０°の間隔を有する構成とされる。
【００３１】
そして、図２および図５に示すように、この３枚の破断リブ１３ａは、突出部１２をこれら破断リブ１３ａの頂点としており、この破断リブ１３ａの頂点から台座１１の外周部の外側まで延設された辺が曲線を有し、側面視幅広であるとともに、拡張リブ１３ｂの面積よりも大きい面積を有する。
【００３２】
一方、図２および図６に示すように、それぞれの拡張リブ１３ｂは、これら拡張リブ１３ｂの頂点が、突出部１２の中途部の高さに位置するとともに、この拡張リブ１３ｂの頂点から台座１１の外周部の外側まで延設された辺が曲線を有し、側面が、破断リブ１３ａの面積よりも小さな面積を有する。従って、拡張リブ１３ｂの辺の高さは、破断リブ１３ａの辺の高さよりも低い。なお、上述のように、破断リブ１３ａおよび拡張リブ１３ｂの双方を台座１１より大きな径とするほか、破断リブ１３ａのみ、または拡張リブ１３ｂのみのいずれか一方を台座１１より大きな径としてもよい。さらには、上述のように、破断リブ１３ａおよび拡張リブ１３ｂの双方を、取出口６の口内径に略等しい径とするほか、破断リブ１３ａのみ、または拡張リブ１３ｂのみのいずれか一方を取出口６の口内径に略等しい径としてもよい。
【００３３】
なお、これら突出部１２や破断リブ１３ａ、拡張リブ１３ｂなど突起部９の成形は、キャップ３の成形において同時に行われるものである。
【００３４】
ここで、内容物が本体２の底部（一端部）から充填され、この底部が熱シールや超音波シールなどで溶着することにより、取出口４は、予め閉塞部７により塞がれているため、本体２内に内容物が密封された容器１（未使用の製品）を、初めて使用する際には、まず、キャップ３を回転させることで、本体２の取出口４に螺合するキャップ３の筒部８を、その螺嵌から解除して、本体２からキャップ３を脱着し、キャップ３の突起部９が取出口４の方向になるように、キャップ３の方向を転換する。
【００３５】
次いで、突起部９の突出部１２を、閉塞部７の中心部近傍を目指して閉塞部７に突き刺す。このとき、凹部１０を、取出口６に嵌合させることで、上記した突出部１２が、閉塞部７の中心部近傍に位置する。
【００３６】
そして、閉塞部７は、中心部近傍が、突出部１２により楽に破れた後、キャップ３を本体１側に押圧することにより、破断リブ１３ａが閉塞部７の表面に接触する。このとき、突出部１２に有した力点は、３枚の破断リブ１３ａの３辺に分散されるものの、この３辺に集中するため、破断リブ１３ａに位置する閉塞部７の表面が、破断リブ１３ａの略形状（シール材の材質、力の入れ方などにより破断の形状は異なる）になるように楽に破断される。
【００３７】
次いで、さらにキャップ３を本体２側に押圧することにより、拡張リブ１３ｂが閉塞部７の表面に接触する。このとき、各拡張リブ１３ｂは、上述のように破断リブ１３ａにより破断した部分の間の閉塞部７上に位置するため、これら拡張リブ１３ｂの押圧により、拡張リブ１３ｂが、この破断リブ１３ａにより破断した部分の間の閉塞部７を本体２側に押入する。従って、これら拡張リブ１３ｂが、確実に閉塞部７の破断部分を拡張することができる。
【００３８】
その結果、図７に示すように、確実に閉塞部７の開口面積ａを広くすることができ、取出口６を完全に開口できる。従って、以上の構成により、取出口６の閉塞部７を開封する際は、キャップ３の突起部９を閉塞部７に突き刺して少しの力で破断させることができ、キャップ３の閉塞部７への突き刺し抵抗が少なく、楽に閉塞部７を破断できるとともに、破断面積および拡張面積を大きくできるため、閉塞部７に大きな穴を開け、取出口６を十分に開封することができる。このため、使用者は、容器１を押圧することにより、内容物を取出口６から十分に取り出すことができるため、容器１の使用性が向上する。
【００３９】
さらには、突出部１２を中心として放射状に、破断リブ１３ａを１２０°の間隔および拡張リブ１３ｂを１２０°の間隔で、破断リブ１３ａと拡張リブ１３ｂとを交互に設けるとともに、破断リブ１３ａと拡張リブ１３ｂとを６０°の間隔で設けることにより、必要最小限に設けたリブによって、効率的に閉塞部７を破断拡張させ、取出口６を完全に開封できるため、キャップ３の成形コストを抑えることができる。
【００４０】
また、破断リブ１３ａは、この破断リブ１３ａの頂点が、突起部９の中心部に位置する突出部１２となるので、突出部１２の頂点および３枚の破断リブの辺（エッジ部分）に力点を集中させて閉塞部７を破断するため、閉塞部７への突き刺し抵抗を小さくすることができるとともに、拡張リブ１３ｂは、この拡張リブ１３ｂの頂点が、突出部１２の中途部の高さに位置するので、最初に、突出部１２と、破断リブ１３ａとで楽に破断した閉塞部７の破断部間を、引き続き破断リブ１３ａで裂きながら拡張リブ１３ｂで拡張して、閉塞部７に確実、かつ楽に大きな穴を開けることができる。
【００４１】
なお、本願発明の容器には、上述したキャップ３の突起部９を取出口６に突き刺した際、突き刺しを完了したことが分かるように、ユーザの手にクリック感が得られる手段を設けることができる。図８は、キャップの突起部を絞り体の取出口に突き刺したときの内部構造の一例を示す、絞り体およびキャップの側面模式図である。この場合、この図８に示すように、例えば、キャップ３の凹部１０の外周の底部近傍に設けた突起１６と、絞り体５の外周の上端部（取出口６）近傍に設けた突起１７とからなる、係合部１８が構成される。
【００４２】
そして、閉塞部７を開口するためにキャップ３の突起部９を取出口６に突き刺した際、キャップ３の凹部１０の突起１６が、絞り体５の突起１７を乗り越えて両者が係合することにより、ユーザは、その手にクリック感を得ることができ、突起部９が閉塞部７に確実に突き刺されたことを確認することができる。
【００４３】
なお、係合部１８の設置は、上述した位置に限定されず、図示しないが、例えば、突起１６を、キャップ３における凹部１０の外周の上端部近傍および、突起１７を、絞り体５における外周の下端部近傍に設けてもよく、この場合も上述同様の効果を得ることができる。
【００４４】
なお、本発明は、液体状や、ペースト状、泡状などの、食品や化粧品他を充填する容器に有用である。
【図面の簡単な説明】
【００４５】
【図１】本発明の一実施例を示す、上方から見た容器の全体図である。
【図２】キャップを上方から見た斜視図である。
【図３】キャップを下方から見た斜視図である。
【図４】キャップの平面図である。
【図５】図４におけるキャップのＡ矢視断面側面図である。
【図６】図４におけるキャップのＢ矢視断面側面図である。
【図７】突起部により開口させた閉塞部の平面図である。
【図８】キャップの突起部を絞り体の取出口に突き刺したときの内部構造の一例を示す、絞り体およびキャップの側面模式図である。
【符号の説明】
【００４６】
３    キャップ
５    絞り体
６    取出口
７    閉塞部
９    突起部
１０    凹部
１１    台座
１２    突出部
１３    リブ
１３ａ    破断リブ
１３ｂ    拡張リブ
１６，１７    突起
１８    係合部
ａ    開口面積
【図１】
0005169481.tif 000002
【図２】
0005169481.tif 000003
【図３】
0005169481.tif 000004
【図４】
0005169481.tif 000005
【図５】
0005169481.tif 000006
【図６】
0005169481.tif 000007
【図７】
0005169481.tif 000008
【図８】
0005169481.tif 000009